(57)【要約】【課題】最下段の商品に効率よく熱伝導する加熱・冷却装置を有し、且つ加熱・冷却装置の耐久性が高い自動販売機を得ることを目的とする。【解決手段】商品切り出し装置３が、商品受け取り面において、最下段の商品Ｓを受け止める商品切り出しペダル３０と、その商品受け取り面の反対面に当接され、商品Ｓの落下の衝撃を受けることなく、商品Ｓと熱的に接続されている加熱・冷却装置４０を備える。【選択図】図２
2010286905.tif 000002
【特許請求の範囲】
【請求項１】
断熱材によって囲まれ一面に開口部が設けられた筐体と、
該開口部を開閉自在であって、商品が通過自在な商品搬出口を具備する断熱扉と、
該筐体内に設置された仕切り壁によって形成された商品収納庫と、
該商品収納庫内に配置され、商品を収納する商品ラックと、
該商品ラックの下端部に配置され、収納された商品を順次切り出す商品切り出し装置と、
該商品切り出し装置から切り出されて落下した商品を前記商品搬出口に誘導する商品シュータとを有する自動販売機であって、
前記商品切り出し装置が、前記商品ラックに収納された最下段の商品を受け止める商品受け面を有する商品切り出しペダルと、該商品受け面の反対側の反商品受け面に接続された加熱・冷却装置と、を備えることを特徴とする自動販売機。
【請求項２】
前記加熱・冷却装置が、電気絶縁層と、熱源と、を備え、
該電気絶縁層が、該熱源と前記商品切り出しペダルとを電気的に絶縁し、該熱源から商品切り出しペダルに熱を伝えることを特徴とする請求項１に記載の自動販売機。
【請求項３】
前記加熱・冷却装置が、熱拡散層と、前記熱源と、を備え、
該熱拡散層が、前記熱源から伝わった熱を拡散し、前記商品切り出しペダルに熱を伝えることを特徴とする請求項１又は２のいずれかに記載の自動販売機。
【請求項４】
前記加熱・冷却装置が、前記商品切り出しペダルを貫通して、前記最下段の商品を受け止める熱伝導部材と、前記熱源と、を備え、
該熱伝導部材が、前記熱源と伝熱自在に接続されていることを特徴とする請求項１−３のいずれか１項に記載の自動販売機。
【請求項５】
前記加熱・冷却装置が、断熱材で覆われていることを特徴とする請求項１−４のいずれか１項に記載の自動販売機。
【請求項６】
前記商品受け面が、前記最下段の商品と接する当接面と、該当接面を囲う当接周囲面と、を備え、
該当接周囲面と、前記反商品受け面と、前記商品受け面の外周および前記反商品受け面の外周をつなぐ側面との１つもしくは複数が、断熱材で覆われていることを特徴とする請求項１−５のいずれか１項に記載の自動販売機。
【請求項７】
断熱材によって囲まれ一面に開口部が設けられた筐体と、
該開口部を開閉自在であって、商品が通過自在な商品搬出口を具備する断熱扉と、
該筐体内に設置された仕切り壁によって形成された商品収納庫と、
該商品収納庫内に配置され、商品を収納する商品ラックと、
該商品ラックの下端部に配置され、収納された商品を順次切り出す商品切り出し装置と、
該商品切り出し装置から切り出されて落下した商品を前記商品搬出口に誘導する商品シュータとを有する自動販売機であって、
前記商品切り出し装置が、前記商品ラックに収納された最下段の商品を受け止める商品受け面を有する商品切り出しペダルと、該商品受け面の反対側の反商品受け面に接続された加熱・冷却装置と、該商品切り出しペダルを傾動自在に支持する切り出し装置基板と、該切り出し装置基板に対向して商品が通過自在な間隔を設けて配置された切り出し装置案内板と、を有し、
該切り出し装置基板が、前記最下段の商品の上にある次商品と接する検知ペダルを備え、
該切り出し装置案内板が、前記最下段の商品と接する最下段接地部と、該次商品と接する次商品接地部と、を備え、
前記商品切り出しペダル、該検知ペダル、該最下段接地部、および該次商品接地部の少なくとも１つに、加熱・冷却装置が接続され、これを除く前記商品切り出しペダル、該検知ペダル、該最下段接地部、および該次商品接地部が断熱材で覆われていることを特徴とする自動販売機。
【請求項８】
断熱材によって囲まれ一面に開口部が設けられた筐体と、
該開口部を開閉自在であって、商品が通過自在な商品搬出口を具備する断熱扉と、
該筐体内に設置された仕切り壁によって形成された商品収納庫と、
該商品収納庫内に配置され、商品を収納する商品ラックと、
該商品ラックの下端部に配置され、収納された商品を順次切り出す商品切り出し装置と、
該商品切り出し装置から切り出されて落下した商品を前記商品搬出口に誘導する商品シュータとを有する自動販売機であって、
前記商品切り出し装置が、前記商品ラックに収納された最下段の商品を受け止める商品受け面を有する商品切り出しペダルと、該商品受け面の反対側の反商品受け面に接続された加熱・冷却装置と、該商品切り出しペダルを傾動自在に支持する切り出し装置基板と、該切り出し装置基板に対向して商品が通過自在な間隔を設けて配置された切り出し装置案内板と、該切り出し装置案内板に固定された加圧機構と、を備え、
該加圧機構が、該最下段の商品の上の次商品から受ける力を増幅し、増幅した力で該最下段の商品を商品切り出しペダルに向けて押し付けることを特徴とする自動販売機。
【請求項９】
前記加圧機構が、回転軸において回転自在に支持されたレバーを有し、
該レバーが、前記回転軸に遠い方の一端で前記次商品と接し、前記回転軸に近い方の他端で前記最下段の商品に力を伝える作用棒に接することを特徴とする請求項８に記載の自動販売機。
【請求項１０】
断熱材によって囲まれ一面に開口部が設けられた筐体と、
該開口部を開閉自在であって、商品が通過自在な商品搬出口を具備する断熱扉と、
該筐体内に設置された仕切り壁によって形成された商品収納庫と、
該商品収納庫内に配置され、商品を収納する商品ラックと、
該商品ラックの下端部に配置され、収納された商品を順次切り出す商品切り出し装置と、
該商品切り出し装置から切り出されて落下した商品を前記商品搬出口に誘導する商品シュータとを有する自動販売機であって、
該商品切り出し装置が、該商品ラックに収納された最下段の商品を受け止める商品切り出しペダルと、該商品切り出しペダルを傾動自在に支持する切り出し装置基板と、該切り出し装置基板に対向して商品が通過自在な間隔を設けて配置された切り出し装置案内板と、該切り出し装置案内板に接続された加熱・冷却機構と、を備え、
該加熱・冷却機構が、切り出し装置案内板に固定された熱源体と、該熱源体からの熱を伝える弾性材の熱伝導支持腕と、該熱伝導支持腕に保持された接触部と、を備え、
前記商品切り出しペダルが前記最下段の商品を受け止めているとき、該熱伝導支持腕が、該接触部を前記最下段の商品に押し付け、
前記商品切り出しペダルが前記最下段の商品の支えを外したとき、該熱伝導支持腕が、前記最下段の商品の自重によって傾倒されることを特徴とする自動販売機。
【請求項１１】
前記熱伝導支持腕が、前記接触部を商品に向けて伸び縮みする伸張部と、当接する商品の外面に倣って前記接触部を傾動させる回転部と、を備えることを特徴とする請求項１０に記載の自動販売機。
【請求項１２】
前記熱伝導支持腕が、前記伸張部および前記回転部の組を複数備え、
前記加熱・冷却機構が、該組のそれぞれに保持される該組と同じ複数の接触部を有し、
該複数の接触部が、前記最下部の商品に接触させられることを特徴とする請求項１１に記載の自動販売機。
【請求項１３】
前記接触部が、断面が円弧の凹み形状で、前記最下段の商品により圧迫されると、前記最下段の商品の外径形状に追従する変形自在な可撓性の板または網であることを特徴とする請求項１０−１２のいずれか１項に記載の自動販売機。
【請求項１４】
断熱材によって囲まれ一面に開口部が設けられた筐体と、
該開口部を開閉自在であって、商品が通過自在な商品搬出口を具備する断熱扉と、
該筐体内に設置された仕切り壁によって形成された商品収納庫と、
該商品収納庫内に配置され、商品を収納する商品ラックと、
該商品ラックの下端部に配置され、収納された商品を順次切り出す商品切り出し装置と、
該商品切り出し装置から切り出されて落下した商品を前記商品搬出口に誘導する商品シュータとを有する自動販売機であって、
該商品切り出し装置が、該商品ラックに収納された最下段の商品を受け止める商品切り出しペダルと、該商品切り出しペダルを傾動自在に支持する切り出し装置基板と、該切り出し装置基板に対向して商品が通過自在な間隔を設けて配置された切り出し装置案内板と、該切り出し装置基板および該切り出し装置案内板の端面側を塞ぐ一対の切り出し装置端板と、を備え、
該切り出し装置端板の１つもしくは両方が、加熱・冷却機構を有し、
該加熱・冷却機構が、該切り出し装置端板に固定された熱源体と、該熱源体からの熱を伝える弾性材の熱伝導支持腕と、該熱伝導支持腕に保持された接触部と、を備え、
該熱伝導支持腕が、該接触部を概略円筒形状の前記最下段の商品の端面に押し付けることを特徴とする自動販売機。
【発明の詳細な説明】
【技術分野】
【０００１】
本発明は、缶、ビン、パック、ペットボトル等の容器に入れた飲料等の商品を加熱して、若しくは、加熱および冷却して販売に供する自動販売機に関する。
【背景技術】
【０００２】
従来の自動販売機は、断熱材によって囲まれ一面に開口部が設けられた筐体と、該開口部を開閉自在であって、商品が通過自在な商品搬出口を具備する断熱扉と、該筐体内に設置された仕切り壁によって形成された商品収納庫と、該商品収納庫内に配置され、商品を収納する商品ラックと、該商品ラックの下端部に配置され、収納された商品を順次切り出す商品切り出し装置と、該商品切り出し装置から切り出されて落下した商品を前記商品搬出口に誘導する商品シュータと、前記商品シュータの下方に設置され、前記商品収納庫内の空気（以下「庫内空気」と称す）を加熱する空気加熱手段と、前記商品シュータの下方に設置され、庫内空気を送る送風手段と、該送風手段によって送られた庫内空気を前記商品ラックの内部を経由して前記送風手段に戻すための循環ダクトとを有する。
また、通常、庫内空気を冷却する空気冷却手段を備え、収納された商品の種類や季節に応じて、商品収納庫ごとに空気加熱手段または空気冷却手段を選択的に使用するものである。
【０００３】
かかる自動販売機において、庫内空気は電熱ヒータの熱によって加熱され、該加熱された庫内空気は商品収納庫内を循環して、商品ラックに収納された商品を加熱している。
このとき、商品収納庫は、庫内上方の商品がまず暖められ、商品投出装置の位置にあって、最初に投出される最下段商品の加温は最後になってしまう。
【０００４】
そこで、最下段商品に接触可能あるいはこれに近接した位置、たとえば、商品切り出し装置の投出フラッパ（「商品切り出しペダル」に同じ）に面状発熱体を組み込んで、投出フラッパに接触している商品を直接的に加熱、あるいは、投出フラッパに所定の間隔を設けて対峙する商品寸法調整板に面状発熱体を組み込んで、商品寸法調整板に接触している商品を直接的に加熱する発明、すなわち、商品ラックに収納された商品を補助的に加熱する発明が開示されている（例えば、特許文献１参照）。
【先行技術文献】
【特許文献】
【０００５】
【特許文献１】特開２００２−１５３６８号公報（第４−６頁、図５）
【発明の概要】
【発明が解決しようとする課題】
【０００６】
しかしながら特許文献１に開示された発明には以下の問題があった。
（イ）最下段商品に接触して、これを直接的に加熱する面状発熱体を設置するもの、すなわち、面状発熱体が、投出フラッパの上面に接着されたフィルム状発熱体シートであって、その上面に伝熱板が密着されるものである。そのため、伝熱板は、商品が直接衝突し破損したり剥がれたりするおそれがあり、フィルム状発熱体シートも、伝熱板を介して衝撃ないし荷重が伝達され破損したり剥がれたりするおそれがある。投出フラッパ上に配置された面上発熱体は、耐久性が劣るという問題があった。
【０００７】
（ロ）投出フラッパに対する距離を調整可能とされる商品寸法調整板、または投出フラッパ取り付け板に、面上発熱体を設けたとき、商品寸法調整板の面上発熱体と商品と接する面は小さいのに対し、面上発熱体の面積は大きく、商品投出装置内の空気に熱が漏れる量が大きいという問題があった。
【０００８】
（ハ）投出フラッパに対する距離を調整可能とされる商品寸法調整板、または投出フラッパ取り付け板に、面上発熱体を設けなかったとき、加熱・冷却された商品から接している商品寸法調整板または投出フラッパ取り付け板へ熱が漏れ、効率が下がるという問題があった。
【０００９】
本発明は上記課題を解決するものであり、最下部の商品の落下を繰り返し受けても破損しない耐久性の高い加熱・冷却装置を備える自動販売機を得ることを目的とする。
【課題を解決するための手段】
【００１０】
本発明に係る自動販売機（請求項１）は、断熱材によって囲まれ一面に開口部が設けられた筐体と、
該開口部を開閉自在であって、商品が通過自在な商品搬出口を具備する断熱扉と、
該筐体内に設置された仕切り壁によって形成された商品収納庫と、
該商品収納庫内に配置され、商品を収納する商品ラックと、
該商品ラックの下端部に配置され、収納された商品を順次切り出す商品切り出し装置と、
該商品切り出し装置から切り出されて落下した商品を前記商品搬出口に誘導する商品シュータとを有する自動販売機であって、
前記商品切り出し装置が、前記商品ラックに収納された最下段の商品を受け止める商品受け面を有する商品切り出しペダルと、該商品受け面の反対側の反商品受け面に接続された加熱・冷却装置と、を備えることを特徴とする。
【００１１】
本発明に係る自動販売機（請求項２）は、前記加熱・冷却装置が、電気絶縁層と、熱源と、を備え、
該電気絶縁層が、該熱源と前記商品切り出しペダルとを電気的に絶縁し、該熱源から商品切り出しペダルに熱を伝えることを特徴とする。
【００１２】
本発明に係る自動販売機（請求項３）は、前記加熱・冷却装置が、熱拡散層と、前記熱源と、を備え、
該熱拡散層が、前記熱源から伝わった熱を拡散し、前記商品切り出しペダルに熱を伝えることを特徴とする。
【００１３】
本発明に係る自動販売機（請求項４）は、前記加熱・冷却装置が、前記商品切り出しペダルを貫通して、前記最下段の商品を受け止める熱伝導部材と、前記熱源と、を備え、
該熱伝導部材が、前記熱源と伝熱自在に接続されていることを特徴とする。
【００１４】
本発明に係る自動販売機（請求項５）は、前記加熱・冷却装置が、断熱材で覆われていることを特徴とする。
【００１５】
本発明に係る自動販売機（請求項６）は、前記商品受け面が、前記最下段の商品と接する当接面と、該当接面を囲う当接周囲面と、を備え、
該当接周囲面と、前記反商品受け面と、前記商品受け面の外周および前記反商品受け面の外周をつなぐ側面との１つもしくは複数が、断熱材で覆われていることを特徴とする。
【００１６】
本発明に係る自動販売機（請求項７）は、断熱材によって囲まれ一面に開口部が設けられた筐体と、
該開口部を開閉自在であって、商品が通過自在な商品搬出口を具備する断熱扉と、
該筐体内に設置された仕切り壁によって形成された商品収納庫と、
該商品収納庫内に配置され、商品を収納する商品ラックと、
該商品ラックの下端部に配置され、収納された商品を順次切り出す商品切り出し装置と、
該商品切り出し装置から切り出されて落下した商品を前記商品搬出口に誘導する商品シュータとを有する自動販売機であって、
前記商品切り出し装置が、前記商品ラックに収納された最下段の商品を受け止める商品受け面を有する商品切り出しペダルと、該商品受け面の反対側の反商品受け面に接続された加熱・冷却装置と、該商品切り出しペダルを傾動自在に支持する切り出し装置基板と、該切り出し装置基板に対向して商品が通過自在な間隔を設けて配置された切り出し装置案内板と、を有し、
該切り出し装置基板が、前記最下段の商品の上にある次商品と接する検知ペダルを備え、
該切り出し装置案内板が、前記最下段の商品と接する最下段接地部と、該次商品と接する次商品接地部と、を備え、
前記商品切り出しペダル、該検知ペダル、該最下段接地部、および該次商品接地部の少なくとも１つに、加熱・冷却装置が接続され、これを除く前記商品切り出しペダル、該検知ペダル、該最下段接地部、および該次商品接地部が断熱材で覆われていることを特徴とする。
【００１７】
本発明に係る自動販売機（請求項８）は、断熱材によって囲まれ一面に開口部が設けられた筐体と、
該開口部を開閉自在であって、商品が通過自在な商品搬出口を具備する断熱扉と、
該筐体内に設置された仕切り壁によって形成された商品収納庫と、
該商品収納庫内に配置され、商品を収納する商品ラックと、
該商品ラックの下端部に配置され、収納された商品を順次切り出す商品切り出し装置と、
該商品切り出し装置から切り出されて落下した商品を前記商品搬出口に誘導する商品シュータとを有する自動販売機であって、
前記商品切り出し装置が、前記商品ラックに収納された最下段の商品を受け止める商品受け面を有する商品切り出しペダルと、該商品受け面の反対側の反商品受け面に接続された加熱・冷却装置と、該商品切り出しペダルを傾動自在に支持する切り出し装置基板と、該切り出し装置基板に対向して商品が通過自在な間隔を設けて配置された切り出し装置案内板と、該切り出し装置案内板に固定された加圧機構と、を備え、
該加圧機構が、該最下段の商品の上の次商品から受ける力を増幅し、増幅した力で該最下段の商品を商品切り出しペダルに向けて押し付けることを特徴とする。
【００１８】
本発明に係る自動販売機（請求項９）は、前記加圧機構が、回転軸において回転自在に支持されたレバーを有し、
該レバーが、前記回転軸に遠い方の一端で前記次商品と接し、前記回転軸に近い方の他端で前記最下段の商品に力を伝える作用棒に接することを特徴とする。
【００１９】
本発明に係る自動販売機（請求項１０）は、断熱材によって囲まれ一面に開口部が設けられた筐体と、
該開口部を開閉自在であって、商品が通過自在な商品搬出口を具備する断熱扉と、
該筐体内に設置された仕切り壁によって形成された商品収納庫と、
該商品収納庫内に配置され、商品を収納する商品ラックと、
該商品ラックの下端部に配置され、収納された商品を順次切り出す商品切り出し装置と、
該商品切り出し装置から切り出されて落下した商品を前記商品搬出口に誘導する商品シュータとを有する自動販売機であって、
該商品切り出し装置が、該商品ラックに収納された最下段の商品を受け止める商品切り出しペダルと、該商品切り出しペダルを傾動自在に支持する切り出し装置基板と、該切り出し装置基板に対向して商品が通過自在な間隔を設けて配置された切り出し装置案内板と、該切り出し装置案内板に接続された加熱・冷却機構と、を備え、
該加熱・冷却機構が、切り出し装置案内板に固定された熱源体と、該熱源体からの熱を伝える弾性材の熱伝導支持腕と、該熱伝導支持腕に保持された接触部と、を備え、
前記商品切り出しペダルが前記最下段の商品を受け止めているとき、該熱伝導支持腕が、該接触部を前記最下段の商品に押し付け、
前記商品切り出しペダルが前記最下段の商品の支えを外したとき、該熱伝導支持腕が、前記最下段の商品の自重によって傾倒されることを特徴とする。
【００２０】
本発明に係る自動販売機（請求項１１）は、前記熱伝導支持腕が、前記接触部を商品に向けて伸び縮みする伸張部と、当接する商品の外面に倣って前記接触部を傾動させる回転部と、を備えることを特徴とする。
【００２１】
本発明に係る自動販売機（請求項１２）は、前記熱伝導支持腕が、前記伸張部および前記回転部の組を複数備え、
前記加熱・冷却機構が、該組のそれぞれに保持される該組と同じ複数の接触部を有し、
該複数の接触部が、前記最下部の商品に接触させられることを特徴とする。
【００２２】
本発明に係る自動販売機（請求項１３）は、前記接触部が、断面が円弧の凹み形状で、前記最下段の商品により圧迫されると、前記最下段の商品の外径形状に追従する変形自在な可撓性の板または網であることを特徴とする。
【００２３】
本発明に係る自動販売機（請求項１４）は、断熱材によって囲まれ一面に開口部が設けられた筐体と、
該開口部を開閉自在であって、商品が通過自在な商品搬出口を具備する断熱扉と、
該筐体内に設置された仕切り壁によって形成された商品収納庫と、
該商品収納庫内に配置され、商品を収納する商品ラックと、
該商品ラックの下端部に配置され、収納された商品を順次切り出す商品切り出し装置と、
該商品切り出し装置から切り出されて落下した商品を前記商品搬出口に誘導する商品シュータとを有する自動販売機であって、
該商品切り出し装置が、該商品ラックに収納された最下段の商品を受け止める商品切り出しペダルと、該商品切り出しペダルを傾動自在に支持する切り出し装置基板と、該切り出し装置基板に対向して商品が通過自在な間隔を設けて配置された切り出し装置案内板と、該切り出し装置基板および該切り出し装置案内板の端面側を塞ぐ一対の切り出し装置端板と、を備え、
該切り出し装置端板の１つもしくは両方が、加熱・冷却機構を有し、
該加熱・冷却機構が、該切り出し装置端板に固定された熱源体と、該熱源体からの熱を伝える弾性材の熱伝導支持腕と、該熱伝導支持腕に保持された接触部と、を備え、
該熱伝導支持腕が、該接触部を概略円筒形状の前記最下段の商品の端面に押し付けることを特徴とする。
【発明の効果】
【００２４】
本発明に係る自動販売機（請求項１）は、加熱・冷却装置が、反商品受け面に当接され、商品が該加熱・冷却装置に直接衝突して、該加熱・冷却装置を破損することなく、最下段の商品を加熱・冷却することができる。
【００２５】
本発明に係る自動販売機（請求項２）は、電気絶縁層を有することで熱源に電気的な装置を使用しても、該熱源以外の装置および商品に漏電することを避けることができる。
【００２６】
本発明に係る自動販売機（請求項３）は、熱拡散層が反商品受け面全体に熱を拡散させることにより、最下段の商品と商品切り出しペダルの当接する面の熱の偏りを無くし、熱を該最下段の商品に効率よく伝えることができる。
【００２７】
本発明に係る自動販売機（請求項４）は、商品の落下による衝撃から加熱・冷却装置が破損することがないように反商品受け面に該加熱・冷却装置を保持し、該加熱・冷却装置の耐久性を上げ、且つ、熱源と伝熱自在に接続された熱伝導部材が、直接商品に熱を伝えることにより、熱の伝達効率を向上させる。
【００２８】
本発明に係る自動販売機（請求項５）は、加熱・冷却装置を断熱材で覆うことにより、商品切り出し装置内の空気に流出する熱を減らし、加熱・冷却装置の熱損失を減らすことができる。
【００２９】
本発明に係る自動販売機（請求項６）は、商品切り出しペダルの当接面以外を断熱材で覆うことにより、商品切り出し装置内の空気に流出する熱を減らし、商品切り出しペダルの熱損失を減らすことができる。
【００３０】
本発明に係る自動販売機（請求項７）は、加熱・冷却装置で商品を伝熱している面以外の、商品切り出し装置と商品の当接する面を断熱材で覆うことにより、商品切り出し装置内の空気に流出する熱を減らし、商品への熱の伝達効率を向上させる。
【００３１】
本発明に係る自動販売機（請求項８）は、最下段の商品の上にある次商品からの力を加圧機構で増幅し、該加圧機構が、増幅した力を利用して該最下段の商品を商品切り出しペダルに押し付けることで、該最下段の商品と該商品切り出しペダルが当接する面を増やし、該最下段の商品への熱の伝達効率を向上させる効果が得られる。
【００３２】
本発明に係る自動販売機（請求項９）は、最下段の商品の上にある次商品からの力をレバーの一端で受け、テコの原理を利用して増幅した力を利用して、該レバーの他端から作用棒を介して最下段の商品を商品切り出しペダルに押し付けることで、該最下段の商品と商品切り出しペダルが当接する面を増やし、該最下段の商品への熱の伝達効率を向上させる効果が得られる。
【００３３】
本発明に係る自動販売機（請求項１０）は、装置案内板に固定された加熱・冷却機構が、熱伝導支持腕の弾性力によって接触部を最下段の商品に押し当てることで、熱の伝達効率を向上させる効果が得られる。
【００３４】
本発明に係る自動販売機（請求項１１）は、伸張部と回転部が接触部の位置と方向を調整して最下段の商品に該接触部を押し当てることで、熱の伝達効率を向上させる効果が得られる。
【００３５】
本発明に係る自動販売機（請求項１２）は、接触部を複数にすることで最下段の商品と複数の該接触部が当接する合計面積が増え、熱の伝達効率を向上させる効果が得られる。
【００３６】
本発明に係る自動販売機（請求項１３）は、接触部を断面が円弧の凹み形状にすることで最下段の商品に接触する面が大きくなり、熱の伝達効率を向上させる効果が得られる。
【００３７】
本発明に係る自動販売機（請求項１４）は、切り出し装置端板に固定された加熱・冷却機構が、最下部の商品の平らな端面に平らな接触部を押し当てることで、熱の伝達効率を向上させる効果が得られる。
【図面の簡単な説明】
【００３８】
【図１】実施の形態１に係る自動販売機の構成を模式的に示す側面からの断面図。
【図２】実施の形態１に係る自動販売機の商品切り出し装置を示す断面図。
【図３】実施の形態１に係る自動販売機の商品切り出しペダルと加熱・冷却装置を示す断面図。
【図４】実施の形態１に係る自動販売機の加熱・冷却装置の下からの斜視図。
【図５】実施の形態１に係る自動販売機において、熱を均衡化する加熱・冷却装置の側面からの断面図。
【図６】実施の形態１に係る自動販売機において、熱を均衡化する加熱・冷却装置の下からの斜視図。
【図７】実施の形態１に係る自動販売機において、商品に直接伝熱する加熱・冷却装置の側面からの断面図。
【図８】実施の形態１に係る自動販売機において、商品に直接伝熱する加熱・冷却装置の上からの斜視図。
【図９】実施の形態２に係る自動販売機の加熱・冷却装置の下からの斜視図。
【図１０】実施の形態３に係る自動販売機の商品切り出しペダルの上からの斜視図。
【図１１】実施の形態４に係る自動販売機の商品切り出し装置の側面からの断面図。
【図１２】実施の形態５に係る自動販売機の商品にかかる力のベクトル図。
【図１３】実施の形態５に係る自動販売機において、加圧装置を付けた商品切り出し装置の側面からの断面図。
【図１４】実施の形態６に係る自動販売機の商品切り出し装置を示す断面図。
【図１５】実施の形態６に係る自動販売機の加熱・冷却機構その１の上からの斜視図。
【図１６】実施の形態６に係る自動販売機の加熱・冷却機構その２の断面図。
【図１７】実施の形態６に係る自動販売機の加熱・冷却機構その３の断面図。
【図１８】実施の形態６に係る自動販売機の接触部その１の上からの斜視図。
【図１９】実施の形態６に係る自動販売機の接触部その２の上からの斜視図。
【図２０】実施の形態６に係る自動販売機の接触部その３の上からの斜視図。
【図２１】実施の形態７に係る自動販売機の商品切り出し装置を示す断面図。
【図２２】実施の形態７に係る自動販売機の商品切り出し装置の正面からの断面図。
【発明を実施するための形態】
【００３９】
［実施の形態１］
（商品収納庫）
図１は、本実施の形態１に係る自動販売機の構成を模式的に示す側面からの断面図である。図１において、自動販売機１は、断熱材によって囲まれた一面に開口部１１が設けられた筐体１０と、開口部１１を開閉自在であって、商品が通過自在な商品搬出口１２を具備する断熱扉１３と、筐体１０内に設置された図示しない仕切り壁によって形成された商品収納庫１４と、商品収納庫１４内に配置され、商品Ｓを収納する商品ラック２ａ、２ｂ、２ｃ、２ｄ、２ｅと、これらの下端部にそれぞれ配置され、収納された商品Ｓを順次切り出す商品切り出し装置３ａ、３ｂ、３ｃ、３ｄ、３ｅと、これらから切り出されて落下した商品Ｓを商品搬出口１２に誘導する商品シュータ１６とを有する。
【００４０】
なお、図中、商品ラック２ａ、２ｂ、２ｃ、２ｄ、２ｅは５列配置されているが、本発明はこれに限定するものではなく、何れであってもよい。商品ラック２ａ、２ｂ、２ｃ、２ｄ、２ｅ（商品切り出し装置３ａ、３ｂ、３ｃ、３ｄ、３ｅに同じ）に設置される装置や部位であって、設置される位置にかかわらず共通するものについては、添え字「ａ、ｂ、ｃ、ｄ、ｅ」を省略して説明する。
【００４１】
（商品切り出し装置）
図２は、本実施の形態１に係る自動販売機の商品切り出し装置を示す断面図である。なお、説明の対象でない部位については図示していない。商品切り出し装置３は、断面矩形の筒状であって、切り出し装置基板５０（以下「装置基板５０」と称す）と、これに対向して商品Ｓが通過自在な間隔を設けて配置された切り出し装置案内板６０（以下「装置案内板６０」と称す）と、を有する。さらに、商品切り出し装置３は、装置基板５０に最下段の商品Ｓを受け止める商品切り出しペダル３０と、商品切り出しペダル３０と連動して動くストッパペダル３１と、商品切り出しペダル３０の、最下段の商品Ｓを受け止める面とは反対側の面に接面されている加熱・冷却装置４０と、を備えている。
【００４２】
（商品切り出し装置の動作）
商品切り出しペダル３０が、起立、すなわち、商品切り出し装置３の筒内に突き出したとき、該筒内に突起して最下段の商品Ｓの上の次商品Ｓを止めていたストッパペダル３１が装置基板５０に収納され、次商品Ｓは、商品切り出しペダル３０の上に落下し、受け止められる。また、商品切り出しペダル３０が、倒伏、すなわち、商品切り出し装置３の筒内からしまい込まれたとき、寸前にストッパペダル３１が突出し、次商品Ｓの落下を防止し、最下段の商品Ｓの下方が開放されて最下段の商品Ｓだけが落下していく。
【００４３】
（商品切り出しペダル）
図３は、本実施の形態１に係る自動販売機の商品切り出しペダルと加熱・冷却装置を示す断面図である。図３において、商品切り出しペダル３０は、概略円筒形の商品Ｓを、その中心軸を水平にして保持する商品受け面３１０と、その反対側にある反商品受け面３１１を有する。
【００４４】
（加熱・冷却装置その１）
図４は、本実施の形態１に係る自動販売機の加熱・冷却装置の下からの斜視図である。図４において、加熱・冷却装置４０は、反商品受け面３１１に当接されている電気絶縁層４１０と、電気絶縁層４１０に接続されている熱源４００と、を備える。
【００４５】
本実施の形態では、熱源４００に電気エネルギーを使用するセラミックヒーター（ＰＴＣヒーター）等を用いたため、加熱・冷却装置４０は、商品切り出しペダル３０と熱源４００の間に電気を絶縁する電気絶縁層４１０を備えている。概して、電気の絶縁性が高い物質は、熱の伝導性が低いため、電気絶縁層４１０には、２５〜１３０μｍ程度の薄い層で、伝熱性を残した電気絶縁材のポリイミドフィルム、あるいはフッ素樹脂フィルム等を用いた。熱源４００が電気的な機器でないとき、加熱・冷却装置４０は、電気絶縁層４１０が不要となる。なお、熱源４００にペルチェ素子を用いれば、加熱のみならず冷却することもできる。
【００４６】
（加熱・冷却装置その２）
図５、６は、本実施の形態１に係る自動販売機において、熱を均衡化する加熱・冷却装置の側面からの断面図と下からの斜視図である。図５、６において、加熱・冷却装置４０は、反商品受け面３１１に当接されている熱拡散層４２０と、熱拡散層４２０の反対側の面に当接されている電気絶縁層４１０と、電気絶縁層４１０に接続されている熱源４００と、を備える。
【００４７】
熱拡散層４２０は、熱伝導に異方性のあるシートを用い、熱を面方向に拡散し、反商品受け面３１１の面全体に伝熱する。また、熱拡散層４２０は、熱の局部的な温度分布を抑制する。
本実施の形態では、熱拡散層４２０に膨張黒鉛シートを用いた。膨張黒鉛シートは、厚み方向には熱伝導性が低く、面方向には熱伝導性が高い部材のため、熱を面状に広げる特性がある。また、膨張黒鉛シートは、一般にガスケット材として多用されているように接触面への密着性が高いため、商品切り出しペダル３０と加熱・冷却装置４０を接続する接触改善部材としても利用できる。熱伝達のために特別な熱伝導性グリース等の部材が不要となる。
【００４８】
（加熱・冷却装置その３）
図７、８は、本実施の形態１に係る自動販売機において、商品に直接伝熱する加熱・冷却装置の側面からの断面図と上からの斜視図である。図７、８において、加熱・冷却装置４０は、商品切り出しペダル３０を貫通して最下段の商品Ｓを受け止める良熱伝導性の熱伝導部材４３０と、熱伝導部材４３０が熱拡散層４２０および電気絶縁層４１０を介して伝熱自在に接続されている熱源４００と、を備える。
【００４９】
熱伝導部材４３０は、最下段の商品Ｓを受ける面の断面が円弧の凹み形状で形成され、熱源４００からの熱を最下段の商品Ｓに効率よく伝える。
【００５０】
［実施の形態２］
本実施の形態２は、実施の形態１の（加熱・冷却装置）に変更を加えたものである。
（加熱・冷却装置）
図９は、本実施の形態２に係る自動販売機の加熱・冷却装置の下からの斜視図である。図９において、加熱・冷却装置断熱材４５０は、反商品受け面３１１に当接されている加熱・冷却装置４０の周りを覆っている。
加熱・冷却装置断熱材４５０は、商品切り出し装置３の庫内空気に流逸する熱を遮断することで、加熱・冷却装置４０の熱を効率よく最下段の商品Ｓに伝えることができるという効果が得られる。
【００５１】
［実施の形態３］
本実施の形態２は、実施の形態１−２のいずれかの（商品切り出しペダル）に変更を加えたものである。
（商品切り出しペダル）
図１０は、本実施の形態３に係る自動販売機の商品切り出しペダルの上からの斜視図である。図１０において、商品受け面３１０は、最下段の商品Ｓと接する当接面３１０ａ（図中、濃い灰色面）と、当接面３１０ａの周りを囲う当接周囲面３１０ｂ（図中、薄い灰色面）とを有する。ここでの「商品Ｓと接する」は、商品Ｓが様々な大きさや形状でできている可能性があるため任意の商品が接する面よりは大きな領域を確保している。
【００５２】
商品切り出しペダル３０は、当接周囲面３１０ｂと、反商品受け面３１１と、商品受け面３１０の外周および反商品受け面３１１の外周をつなぐ側面が、切り出しペダル断熱材３５０で覆われている。実施の際には、当接周囲面３１０ｂと、反商品受け面３１１と、商品受け面３１０の外周および反商品受け面３１１の外周をつなぐ側面の少なくともひとつが覆われていれば断熱の効果は得られる。
切り出しペダル断熱材３５０は、商品切り出しペダル３０から庫内空気に流逸する熱を遮断することで、熱を効率よく最下段の商品Ｓに伝えることができるという効果が得られる。
【００５３】
［実施の形態４］
本実施の形態４は、実施の形態１−３のいずれかの（商品切り出し装置）を変更したものである。
（商品切り出し装置）
図１１は、本実施の形態４に係る自動販売機の商品切り出し装置の側面からの断面図である。図１１において、商品切り出し装置３は、断面矩形の筒状であって、切り出し装置基板５０（以下「装置基板５０」と称す）と、これに対向して商品Ｓが通過自在な間隔を設けて配置された切り出し装置案内板６０（以下「装置案内板６０」と称す）と、装置基板５０に取り付けられた最下段の商品Ｓを保持する商品切り出しペダル３０とを有する。また、装置基板５０が、最下段の商品Ｓの上にある次商品Ｓが存在するか当接してチェックする検知ペダル５１を備え、装置案内板６０が、最下段の商品Ｓと当接する最下段接地部６１と、次商品Ｓと当接する次商品接地部６２と、を備える。
【００５４】
商品切り出しペダル３０が、商品受け面３１０の反対側に加熱・冷却装置４０を備え、最下部の商品Ｓに熱を伝えている。また検知ペダル、最下段接地部６１、および次商品接地部６２は、すべて断熱材で覆われており、熱が庫内に流出することを防いでいる。本実施の形態では、商品切り出しペダル３０に加熱・冷却装置４０を取り付けたが、その他の当接する箇所のひとつもしくは複数で加熱・冷却装置４０を取り付けても構わない。その場合、加熱・冷却装置がついてないその他の当接する箇所は、すべて断熱材で覆われる。
【００５５】
断熱方法は、当接する部分に断熱材料を埋め込む方法と、単一乃至積層されたフィルム断熱材を当接する面に貼付する方法がある。施行の容易さ、強度を考えるとフィルム断熱材が適している。フィルム断熱材は、商品Ｓと当接する面だけに貼付すればよく、必要最小限に材料を抑えることができ、安価に製造できる効果が得られる。フィルム断熱材としては、断熱性を有し、高摺動性があるフッ素樹脂や、強機械強度も兼ね備えたポリイミド樹脂等が適している。
【００５６】
［実施の形態５］
本実施の形態５は、実施の形態１−３のいずれかの（商品切り出し装置）に変更を加えたものである。
（商品切り出し装置）
図１２は、本実施の形態５に係る自動販売機の商品にかかる力のベクトル図である。図１２の商品切り出し装置３は、断面矩形の筒状であって、切り出し装置基板５０（以下「装置基板５０」と称す）と、これに対向して商品Ｓが通過自在な間隔を設けて配置された切り出し装置案内板６０（以下「装置案内板６０」と称す）と、を有する。さらに、商品切り出し装置３は、装置基板５０に最下段の商品Ｓを受け止める商品切り出しペダル３０と、商品切り出しペダル３０の、最下段の商品Ｓを受け止める商品受け面３１０とは反対側の面に接面されている加熱・冷却装置４０と、を備えている。
図１２において、上方商品荷重１１１は、最下段の商品Ｓの上の次商品Ｓが最下段の商品Ｓを押す力であり、垂直荷重１１０および水平荷重１０１に分解できる。装置案内板６０に向かい力を加えている次商品傾倒力１００は、水平荷重１０１と均衡を保っている。
【００５７】
最下段の商品Ｓは、商品受け面３１０との当接する面から熱を得ており、最下段の商品Ｓと商品受け面３１０の接する圧力が高まれば当接する面も大きくなり、結果的に多くの熱量が最下段の商品Ｓに伝えられる。本実施の形態では、装置案内板６０に向かう次商品傾倒力１００を利用し、その力を増幅して、最下段の商品Ｓに加圧し、熱の伝導効率を向上させる。
【００５８】
図１３は、本実施の形態５に係る自動販売機において、加圧装置を付けた商品切り出し装置の側面からの断面図である。図１３において、加圧装置８０は、回転軸８２において回転自在に支持されたレバー８１と、最下段の商品Ｓに加圧する作用棒８４と、作用棒８４と装置案内板６０に接続された収納バネ８５と、を備える。レバー８１は、回転軸８２に遠い方の一端で次商品Ｓに接し、回転軸８２に近い方の他端で作用棒８４および収納バネ８５に接している。作用棒８４は、内周を摩擦の少ない筒で覆われ、最下段の商品Ｓに追荷重１２０を加える力の介在手段である。加圧装置８０が直接最下段の商品Ｓに加圧をかけられる場合、作用棒８４は不要である。レバー８１の一端で受け止められた次商品傾倒力１００は、レバー８１によるテコの原理により増幅され、最下段の商品Ｓに加わる追荷重１２０として増幅される。
【００５９】
収納バネ８５は、次商品Ｓが商品切り出しペダル３０に落ちるときに、次商品Ｓから次商品傾倒力１００を受けなくなったレバー８１と作用棒８４を引き寄せる。作用棒８４が引き寄せられると、次商品Ｓは、最下段の商品Ｓの位置に落下可能となり、新たな最下段の商品Ｓとなる。その後、新しい次商品Ｓがセットされると、次商品傾倒力１００がレバーにかかり、追荷重１２０が最下段の商品Ｓに加圧される。
【００６０】
結果として、加圧装置８０は、追荷重１２０を最下段の商品Ｓに加え、商品切り出しペダル３０との接面を大きくし、熱伝導を上げる効果が得られる。
本実施の形態は、加圧装置８０にテコを利用したが、パスカルの原理を利用した油圧式の加圧装置や滑車などの加圧装置を用いても良い。
【００６１】
［実施の形態６］
本実施の形態６は、実施の形態１−３のいずれかの（商品切り出し装置）を変更したものである。
（商品切り出し装置）
図１４は、本実施の形態６に係る自動販売機の商品切り出し装置を示す断面図である。図１４において、商品切り出し装置３は、断面矩形の筒状であって、切り出し装置基板５０（以下「装置基板５０」と称す）と、これに対向して商品Ｓが通過自在な間隔を設けて配置された切り出し装置案内板６０（以下「装置案内板６０」と称す）と、を有する。商品切り出し装置３は、装置基板５０に最下段の商品Ｓを受け止める商品切り出しペダル３０と、装置案内板６０に接続されている加熱・冷却機構９０と、を備えている。
【００６２】
（加熱・冷却機構その１）
図１５は、本実施の形態６に係る自動販売機の加熱・冷却機構その１の上からの斜視図である。図１５において、加熱・冷却機構９０は、装置案内板６０に固定された熱源体９１と、熱源体９１から熱を伝える熱伝導支持腕９２と、熱伝導支持腕９２に保持された接触部９３と、を備えている。熱伝導支持腕９２は、反発力を持つ弾性材で形成されている。
商品切り出しペダル３０が起立し、最下段の商品Ｓを受け止めているとき、熱伝導支持腕９２は、接触部９３を最下段の商品Ｓに押し付ける。また、商品切り出しペダル３０が倒伏し、最下段の商品Ｓの支えを取り外したとき、熱伝導支持腕９２は、最下段の商品の自重で傾倒し、最下段の商品Ｓを落下させる通路を確保する。
【００６３】
商品切り出しペダル３０に加熱・冷却機構を取り付ける場合、商品切り出しペダル３０は、固定されており、最下段の商品Ｓと当接する面の位置を変えることができない。商品Ｓの大きさにばらつきがあると、最下段の商品Ｓと商品切り出しペダル３０の当接する面の位置が装置基板５０側に寄ったり、装置案内板６０側に寄ったり、ばらつきが生じる。商品切り出しペダル３０の上の加熱・冷却を行う面は、あらかじめ広い面積を確保しなければならない。面積が広くなれば、使用時に実際に触れる面以外のところから、商品切り出し装置３の庫内空気に熱が流出され、熱の伝達効率が低下する。
装置案内板６０に加熱・冷却機構を取り付けた場合も同様である。装置案内板６０は、商品の大きさにより位置が調整され、最下段の商品Ｓと接触する面にばらつきが生じる。よって、加熱・冷却を行う面を広くする必要が生じ、広くすると庫内空気に熱が流出され、熱の伝達効率が低下する。
【００６４】
本実施の形態に係る加熱・冷却機構９０は、弾性を持つ熱伝導支持腕９２によりどのような商品にも接触部９３を押し当てることができるため、接触部９３から最下段の商品Ｓに効率よく熱を伝達する効果が得られる。
【００６５】
（加熱・冷却機構その２）
上記の熱伝導支持腕９２は弾性材で形成し、接触部９３の位置を調整したが、熱伝導支持腕が、伸縮する部材や回転する部材でもって、接触部９３の位置を調整することも可能である。
図１６は、本実施の形態６に係る自動販売機の加熱・冷却機構その２の断面図である。図１６において、加熱・冷却機構９０の熱伝導支持腕９２は、伸縮性の高い伸張部９４と、最下段の商品Ｓの外面に倣って接触部９３を傾動させる回転部９５とを有し、最下段の商品Ｓに接触部９３を押し当てる。
【００６６】
（加熱・冷却機構その３）
図１７は、本実施の形態６に係る自動販売機の加熱・冷却機構その３の断面図である。図１７において、加熱・冷却機構９０は、熱源体９１と、熱伝導支持腕９２と、接触部９３ａ、９３ｂ、９３ｃと、を有し、熱伝導支持腕９２は、接触部９３ａ、９３ｂ、９３ｃそれぞれの位置を調整する伸張部９４ａ、９４ｂ、９４ｃと、接触部９３ａ、９３ｂ、９３ｃそれぞれを傾動させる回転部９５ａ、９５ｂ、９５ｃと、を有する。本実施の形態では、３本並べられているが、本実施の形態は数を限定するものではない。以下、接触部９３ａ、９３ｂ、９３ｃは、数を限定するわけではないため、添え字「ａ、ｂ、ｃ」は省略して記述する。伸張部９４ａ、９４ｂ、９４ｃおよび回転部９５ａ、９５ｂ、９５ｃも同様である。
加熱・冷却機構９０は、複数の接触部９３を独立して、最下段の商品Ｓの外面に倣って押し当てることができるため、接触部９３の最下段の商品Ｓに当接する面の総面積が増加し、最下段の商品Ｓに熱を効率よく伝達する効果が得られる。
【００６７】
（接触部その１）
図１８は、本実施の形態６に係る自動販売機の接触部その１の上からの斜視図である。図１８において、接触部９３は、断面が円弧の凹み形状で形成されている可撓性の板である。この接触部９３は、最下段の商品Ｓにより圧迫されると、最下段の商品Ｓの外径形状に追従し、接触面を増やすことにより、効率よく熱を伝達する効果が得られる。
【００６８】
（接触部その２）
図１９は、本実施の形態６に係る自動販売機の接触部その２の上からの斜視図である。図１９において、接触部９３は、（接触部その１）と同じ形状による効果を有し、且つ、材質を可撓性の網にすることで、商品Ｓの凹凸等のある面にも追従することができる。追従性が上がることで、接触部９３は、最下段の商品Ｓと接する面領域を広げ、効率よく熱を伝達する効果が得られる。
【００６９】
（接触部その３）
図２０は、本実施の形態６に係る自動販売機の接触部その３の上からの斜視図である。図２０において、接触部９３は、（接触部その１）と同じ形状による効果を有し、且つ熱伝導支持腕９２と同一の材質で一体形成されている。一体形成することで、接触部９３は、組み立て時の作業を容易にすることができる。
【００７０】
［実施の形態７］
本実施の形態７に係る自動販売機は、実施の形態１−３の（商品切り出し装置）を変更したものである。
（商品切り出し装置）
図２１は、本実施の形態７に係る自動販売機の商品切り出し装置を示す断面図である。図２１において、商品切り出し装置３は、断面矩形の筒状であって、切り出し装置基板５０（以下「装置基板５０」と称す）と、これに対向して商品Ｓが通過自在な間隔を設けて配置された切り出し装置案内板６０（以下「装置案内板６０」と称す）と、装置基板５０および装置案内板６０で囲まれた切り出し装置端板５２ａ、５２ｂと、装置基板５０に商品Ｓを受け止める商品切り出しペダル３０と、を備えている。
【００７１】
図２２は、本実施の形態７に係る自動販売機の商品切り出し装置の正面からの断面図である。図２２において、切り出し装置端板５２ａは、加熱・冷却機構９０を有する。加熱・冷却機構９０は、装置案内板６０に固定された熱源体９１と、熱源体９１から熱を伝える熱伝導支持腕９２と、熱伝導支持腕９２に保持された接触部９３と、を備えている。加熱・冷却機構９０は、概略円筒形であり中心軸を水平方向に倒した最下段の商品Ｓの平らな側面から平らな接触部９３を当接させる。平らな面同士当接させることで、加熱・冷却機構９０は、効率よく熱を伝達する効果が得られる。
【００７２】
加熱・冷却機構９０は、最下段の商品Ｓの側面から接触部９３を当接することで最下段の商品Ｓが落下していくときに、通路の妨げにならないという効果も得られる。
本実施の形態では、加熱・冷却機構９０を切り出し装置端板５２ａに接続したが、切り出し装置端板５２ｂに、もしくは両方に接続してもよい。
【符号の説明】
【００７３】
１  自動販売機、２  商品ラック、３  商品切り出し装置、１０  筐体、１１  開口部、１２  商品搬出口、１３  断熱扉、１４  商品収納庫、１６  商品シュータ、３０  商品切り出しペダル、３１  ストッパペダル、４０  加熱・冷却装置、５０  装置基板、５１  検知ペダル、５２  切り出し装置端板、６０  装置案内板、６１  最下段接地部、６２ 次商品接地部、８０  加圧装置、８１  レバー、８２ 回転軸、８４  作用棒、８５  収納バネ、９０  加熱・冷却機構、９１  熱源体、９２  熱伝導支持腕、９３  接触部、９４  伸張部、９５  回転部、１００  次商品傾倒力、１０１  水平荷重、１１０  垂直荷重、１１１  上方商品荷重、１２０  追荷重、３１０  商品受け面、３１０ａ  当接面、３１０ｂ  当接周囲面、３１１  反商品受け面、３５０  切り出しペダル断熱材、４００  熱源、４１０  電気絶縁層、４２０  熱拡散層、４３０  熱伝導部材、４５０  加熱・冷却装置断熱材。
【図１】
2010286905.tif 000003
【図２】
2010286905.tif 000004
【図３】
2010286905.tif 000005
【図４】
2010286905.tif 000006
【図５】
2010286905.tif 000007
【図６】
2010286905.tif 000008
【図７】
2010286905.tif 000009
【図８】
2010286905.tif 000010
【図９】
2010286905.tif 000011
【図１０】
2010286905.tif 000012
【図１１】
2010286905.tif 000013
【図１２】
2010286905.tif 000014
【図１３】
2010286905.tif 000015
【図１４】
2010286905.tif 000016
【図１５】
2010286905.tif 000017
【図１６】
2010286905.tif 000018
【図１７】
2010286905.tif 000019
【図１８】
2010286905.tif 000020
【図１９】
2010286905.tif 000021
【図２０】
2010286905.tif 000022
【図２１】
2010286905.tif 000023
【図２２】
2010286905.tif 000024